(57)【要約】【課題】簡単な構造でありながら、携帯用光源装置を内視鏡に確実に着脱でき、しかも確実に装着されたか否かを容易に把握できる内視鏡と携帯用光源装置の着脱構造を提供する。【解決手段】内視鏡１０に形成した光源接続用凹部１６に挿脱可能な発光挿入部４３を有する携帯用光源装置３０に出没可能にかつ突出方向に付勢させて係止部材４６を設け、内視鏡１０の光源接続用凹部の内周面に、共に係止部材１６が係脱可能な保持用凹部１９、及び保持用凹部と周方向に隣り合うように形成した係合解除用溝２１を形成する。【選択図】図２
2008220463.tif 000002
【特許請求の範囲】
【請求項１】
内視鏡に形成した光源接続用凹部と、
この光源接続用凹部に挿脱可能及び相対回転可能な発光挿入部を有する携帯用光源装置と、
上記発光挿入部の表面から径方向に出没可能にかつ突出方向に付勢させて設けた係止部材と、
上記光源接続用凹部の内周面の開口端部から離れた位置に凹設した、突出状態の上記係止部材が係合することにより上記携帯用光源装置を保持する保持用凹部と、
上記光源接続用凹部の内周面に上記保持用凹部と周方向に隣り合うように形成した、上記光源接続用凹部の軸線方向に延びその一端が上記開口端部において開口する、突出状態の上記係止部材が係合可能な係合解除用溝と、を備えることを特徴とする内視鏡と携帯用光源装置の着脱構造。
【請求項２】
請求項１記載の内視鏡と携帯用光源装置の着脱構造において、
上記保持用凹部の周方向の端部に、上記係合解除用溝側に向かうにつれて上記光源接続用凹部の内周面に対する凹み量を減じる案内用傾斜部を形成した内視鏡と携帯用光源装置の着脱構造。
【請求項３】
請求項１または２記載の内視鏡と携帯用光源装置の着脱構造において、
上記発光挿入部に、上記係止部材を周方向に等角度間隔で複数設け、
上記光源接続用凹部の内周面に、上記係止部材と同じ数の上記保持用凹部及び係合解除用溝を周方向に等角度間隔で設けた内視鏡と携帯用光源装置の着脱構造。
【請求項４】
請求項１から３のいずれか１項記載の内視鏡と携帯用光源装置の着脱構造において、
上記発光挿入部が、突出方向に付勢された上記係止部材の上記突出方向の移動端を規制する規制部を有し、
上記係止部材は、上記規制部によって突出方向への移動が規制された状態で上記保持用凹部に係合する内視鏡と携帯用光源装置の着脱構造。
【請求項５】
請求項１から４のいずれか１項記載の内視鏡と携帯用光源装置の着脱構造において、
上記係合解除用溝が、上記開口端部に向かうにつれて上記光源接続用凹部の内周面に対する凹み量を増大させる形状である内視鏡と携帯用光源装置の着脱構造。
【請求項６】
請求項１から５のいずれか１項記載の内視鏡と携帯用光源装置の着脱構造において、
上記係止部材が球体である内視鏡と携帯用光源装置の着脱構造。
【発明の詳細な説明】
【技術分野】
【０００１】
本発明は、内視鏡と携帯用光源装置の着脱構造に関する。
【背景技術】
【０００２】
携帯用光源装置を着脱可能な携帯型の内視鏡の従来例としては、例えば特許文献１に記載されたものがある。
この内視鏡１の操作部３の側面には雄ねじ部３ｃが設けてあり、携帯用光源装置（バッテリ型光源）５はこの雄ねじ部３ｃに螺合可能な取付けネジ２４を具備している。
従って、携帯用光源装置５の取付けネジ２４のねじ部（内周面）を内視鏡１の雄ねじ部３ｃに螺合すれば、携帯用光源装置５を内視鏡１に装着することができる。
【特許文献１】特許第３７０８３８７号公報
【発明の開示】
【発明が解決しようとする課題】
【０００３】
しかし、特許文献１のように携帯用光源装置５の取付けネジ２４を内視鏡１の雄ねじ部３ｃに螺合する作業及び螺合を解除する作業は決して容易ではなく、特に術者が補助者をおかずに一人で内視鏡１を操作する場合は確実に螺合及び解除を行うのが難しい。
さらに、携帯用光源装置５の取付けネジ２４と内視鏡１の雄ねじ部３ｃの螺合時に、雄ねじ部３ｃ及び取付けネジ２４のねじ部（内周面）が取付けネジ２４の外周部によって隠されてしまうので、術者は螺合状態を全く目視できない。
【０００４】
本発明は、簡単な構造でありながら、携帯用光源装置を内視鏡に確実に着脱でき、しかも確実に装着されたか否かを容易に把握できる内視鏡と携帯用光源装置の着脱構造を提供することを目的とする。
【課題を解決するための手段】
【０００５】
本発明の内視鏡と携帯用光源装置の着脱構造は、内視鏡に形成した光源接続用凹部と、この光源接続用凹部に挿脱可能及び相対回転可能な発光挿入部を有する携帯用光源装置と、上記発光挿入部の表面から径方向に出没可能にかつ突出方向に付勢させて設けた係止部材と、上記光源接続用凹部の内周面の開口端部から離れた位置に凹設した、突出状態の上記係止部材が係合することにより上記携帯用光源装置を保持する保持用凹部と、上記光源接続用凹部の内周面に上記保持用凹部と周方向に隣り合うように形成した、上記光源接続用凹部の軸線方向に延びその一端が上記開口端部において開口する、突出状態の上記係止部材が係合可能な係合解除用溝と、を備えることを特徴としている。
【０００６】
上記保持用凹部の周方向の端部に、上記係合解除用溝側に向かうにつれて上記光源接続用凹部の内周面に対する凹み量を減じる案内用傾斜部を形成するのが好ましい。
【０００７】
上記発光挿入部に、上記係止部材を周方向に等角度間隔で複数設け、上記光源接続用凹部の内周面に、上記係止部材と同じ数の上記保持用凹部及び係合解除用溝を周方向に等角度間隔で設けるのが好ましい。
【０００８】
上記発光挿入部が、突出方向に付勢された上記係止部材の上記突出方向の移動端を規制する規制部を有し、上記係止部材は、上記規制部によって突出方向への移動が規制された状態で上記保持用凹部に係合するのが好ましい。
【０００９】
上記係合解除用溝が、上記開口端部に向かうにつれて上記光源接続用凹部の内周面に対する凹み量を増大させる形状であるのが好ましい。
【００１０】
上記係止部材が球体であるのが好ましい。
【発明の効果】
【００１１】
本発明によると、内視鏡に形成した光源接続用凹部に携帯用光源装置の発光挿入部を挿入し、発光挿入部に設けた係止部材を光源接続用凹部の内周面に形成した保持用凹部に係合させると、保持用凹部によって係止部材が固定される。従って、内視鏡に携帯用光源装置を簡単に取り付けることができる。
さらに、係止部材が保持用凹部に係合した状態で発光挿入部を自身の軸線回りに回転させ、係止部材を係合解除用溝に係合させれば、発光挿入部を係合解除用溝に沿って引き抜き方向に移動させるだけで、発光挿入部を光源接続用凹部から簡単に引き抜くことが出来る。
しかも、携帯用光源装置の光源接続用凹部に対する相対位置を目視により確認でき、さらに係止部材が保持用凹部に係合したときにクリック感を感じられるので、術者（作業者）は携帯用光源装置と内視鏡の接続状態を容易に把握することができる。
さらに、本発明の取付構造は簡単な構造なので、低コストで実現できる。
【００１２】
請求項２のように構成すれば、係止部材を保持用凹部から係合解除用溝に円滑に移動させられるようになる。
【００１３】
請求項３のように構成すれば、係止部材及び保持用凹部が複数なので、発光挿入部を光源接続用凹部により確実に保持することが可能になる。
しかも、各係止部材の周方向間隔と保持用凹部及び係合解除用溝の周方向間隔が同じなので、発光挿入部を回転させると各係止部材を各係合解除用溝に同時かつ円滑に移動させることができる。
【００１４】
請求項４のように構成すれば、係止部材が保持用凹部に係合したときに係止部材の位置が安定するので、保持用凹部による係止部材の保持がより安定する。
【００１５】
請求項５のように構成すれば、係止部材が係合解除用溝に係合している状態で発光挿入部を引き抜き方向に移動させたときに、係止部材が係合解除用溝から脱出しやすくなる。従って、発光挿入部の光源接続用凹部からの脱出操作をより円滑に行えるようになる。
【００１６】
請求項６のように構成すれば、係止部材が球体なので、発光挿入部の光源接続用凹部への係合、光源接続用凹部から係合解除用溝への移動、および係合解除用溝からの脱出をより円滑に行えるようになる。
【発明を実施するための最良の形態】
【００１７】
以下、本発明の一実施形態について添付図面を参照しながら説明する。
図１に示すように、本実施形態の内視鏡１０は医療用の携帯型の内視鏡であり、操作者が把持する操作部１１と、操作部１１から前方に延出する可撓性のある挿入部１２と、操作部１１の後端部に連続する接眼部１３と、を備えている。挿入部１２の先端面には図示を省略した照明用レンズと対物レンズが設けてあり、操作部１１及び挿入部１２の内部にはその先端が照明用レンズに接続する導光ファイバ１４と、その先端が対物レンズに接続し後端が接眼部１３に接続するイメージガイドファイバ（図示略）が配設してある。後述するランプ３６から導光ファイバ１４に光が供給されると、この光は導光ファイバ１４及び照明用レンズを介して挿入部１２の先端面から外部に照射される。さらに、対物レンズで被写体（患者の患部等）を観察すると、この被写体像が対物レンズ及びイメージガイドファイバを介して接眼部１３に伝わるので、術者は接眼部１３を覗くことにより被写体像を観察できる。
【００１８】
図示するように操作部１１の側面には端部が開口する筒状の光源接続筒状部１５が突設してある。図２及び図４に示すように、光源接続筒状部１５の内部には互いに同心をなすと共に断面形状が円形の大径空間部（光源接続用凹部）１６及び小径空間部（光源接続用凹部）１７が同軸的に形成してあり、小径空間部１７の底部には導光ファイバ１４の端部に接続する集光レンズＬ１が設けてある。
図２から図６に示すように、光源接続筒状部１５の小径空間部１７の内周面における光源接続筒状部１５の開口端部から操作部１１側に離れた位置には、周方向に延びる４つの保持用凹部１９が９０°間隔で凹設してある。各保持用凹部１９の周方向の両端部は、端部に向かうについて凹み量が徐々に小さくなる案内用傾斜部２０となっている（図５及び図６参照。保持用凹部１９の案内用傾斜部２０を除く部分の凹み量は一定である）。
さらに、隣り合う保持用凹部１９と保持用凹部１９の間には光源接続筒状部１５の軸線方向（図３の上下方向）に延びる係合解除用溝２１が凹設してある。図示するように、各係合解除用溝２１の一端は光源接続筒状部１５の開口端部において開口しており、各係合解除用溝２１の他端部は案内用傾斜部２０と隣り合っている。図２及び図３から明らかなように、各係合解除用溝２１の凹み量は光源接続筒状部１５の開口端部側に向かうにつれて徐々に大きくなっている。
【００１９】
光源接続筒状部１５に着脱される携帯用光源装置３０は、図２及び図４に示すように中空の筒状体である。携帯用光源装置３０は大きな構成要素として基部３１と、基部３１の開口端部に着脱自在な蓋部３２と、を有している。基部３１の内部には乾電池Ｂを収納するための電池収納空間３３が形成してあり、電池収納空間３３の一方の端部には乾電池Ｂの陽極と接触する陽極側電気接片３５が設けてある。基部３１の光源接続筒状部１５側の端部には３枚のレンズからなる集光レンズＬ２が設けてある。さらに、基部３１の内部空間には、集光レンズＬ２と陽極側電気接片３５の間に位置するランプ３６が設けてある。このランプ３６の陽極は陽極側電気接片３５と電気的に接続している。
【００２０】
蓋部３２の内部には、蓋部３２を基部３１に装着したときに乾電池Ｂの陰極と接触する陰極側電気接片３７が設けてある。さらに蓋部３２の内部には、陰極側電気接片３７及びランプ３６の陰極と接続する内部スイッチ３９が設けてある。この内部スイッチ３９は、そのボタン４０が一回押し込まれるごとに、ランプ３６の陰極と陰極側電気接片３７の間の電気の流れを許容するＯＮ状態と、ランプ３６の陰極と陰極側電気接片３７の間の電気の流れを遮断するＯＦＦ状態とに切り替わる。蓋部３２の端部には、蓋部３２に対して蓋部３２の軸線方向にスライド可能なスライドスイッチ４２が設けてある。このスライドスイッチ４２はコイル圧縮ばねＳ１によって常に突出方向に付勢されている。このスライドスイッチ４２をコイル圧縮ばねＳ１の付勢力に抗して押し込むと、スライドスイッチ４２によってボタン４０が押し込まれるので、スライドスイッチ４２を一回押し込むごとに内部スイッチ３９がＯＮ状態とＯＦＦ状態に切り替わる。
【００２１】
基部３１の光源接続筒状部１５側の端部近傍部分である挿入部（発光挿入部）４３は、その外周面が大径空間部１６の内径より僅かに小さく、かつ断面形状が円形である。さらに、基部３１の挿入部４３より先端側の部分は光源接続筒状部１５の小径空間部１７より小径である。
挿入部４３の外周面には、周方向に９０°間隔で４つの凹部４４が径方向内向きに凹設してあり、各凹部４４の開口端部には環状の内方フランジ（規制部）４５が突設してある。
各凹部４４の内部には、凹部４４の内径より小径かつ内方フランジ４５の内径より大径の金属球４６が移動可能に配設してある。さらに、凹部４４の底面と金属球４６の間には各金属球４６を径方向外向きに移動付勢する圧縮コイルばね（付勢手段）Ｓ２が縮設してある。
【００２２】
次に内視鏡１０と携帯用光源装置３０の着脱要領及び、装着時における携帯用光源装置３０の使用要領について説明する。
最初に携帯用光源装置３０の内視鏡１０への装着要領について説明する。
まず、基部３１から蓋部３２を取り外した状態で基部３１の電池収納空間３３に乾電池Ｂを収納し、その後に基部３１に蓋部３２を接続する。このとき、携帯用光源装置３０の４つの金属球（係止部材）４６は圧縮コイルばねＳ２によって径方向外向きに付勢されることにより対応する内方フランジ４５に当接し、それ以上の径方向外側への移動が規制されている。
そして、図２に示すように携帯用光源装置３０を内視鏡１０の光源接続筒状部１５に接近させて、各金属球４６と各保持用凹部１９の周方向位置を一致させながら基部３１の挿入部４３を光源接続筒状部１５の大径空間部１６に挿入し、基部３１の挿入部４３より先端側の部分を光源接続筒状部１５の小径空間部１７に挿入する。すると、各金属球４６が大径空間部１６の内周面によって圧縮コイルばねＳ２の付勢力に抗して径方向内側に押され、各金属球４６が対応する保持用凹部１９に達すると、各金属球４６が圧縮コイルばねＳ２の付勢力によって再度径方向外側に押され対応する保持用凹部１９にそれぞれ係合する。このように各金属球４６が対応する保持用凹部１９に係合することにより、携帯用光源装置３０と光源接続筒状部１５の接続状態が保持される。
さらに、このように各金属球４６が対応する保持用凹部１９に係合すると、各金属球４６は圧縮コイルばねＳ２の付勢力によって再度対応する内方フランジ４５に当接するので、各金属球４６の各凹部４４に対する相対位置は安定する。従って、携帯用光源装置３０をかなり強い力で図２の右側に移動させない限り、各金属球４６が圧縮コイルばねＳ２の付勢力に抗して径方向内側に引っ込み対応する保持用凹部１９から抜け出すことはない。
このように携帯用光源装置３０を光源接続筒状部１５に接続した状態で、携帯用光源装置３０のスライドスイッチ４２をコイル圧縮ばねＳ１に抗して一回押し込めば内部スイッチ３９がＯＦＦ状態からＯＮ状態に切り替わるのでランプ３６が点灯する。ランプ３６で発生した光は集光レンズＬ２及び集光レンズＬ１を介して導光ファイバ１４に伝わり、内視鏡１０の挿入部１２の先端に設けた上記照明用レンズから外部に照射される。
【００２３】
次に、携帯用光源装置３０の内視鏡１０からの取り外し要領について説明する。
このように各金属球４６が対応する保持用凹部１９によって保持された状態から、各携帯用光源装置３０を自身の軸線回りに時計方向または反時計方向に回転させると、各金属球４６は各保持用凹部１９の端部を構成する案内用傾斜部２０によって一旦径方向内側に押し込まれる。そして、係合解除用溝２１と同じ周方向位置に達したときに圧縮コイルばねＳ２の付勢力によって各金属球４６が径方向外側に押圧され、各金属球４６の外周面が係合解除用溝２１の両側縁部に弾性的に当接する（図６参照。このとき、各金属球４６は対応する内方フランジ４５には当接しない）。
各係合解除用溝２１の一端は光源接続筒状部１５の開口端部において開口しているので、この状態で携帯用光源装置３０を図４の右側に直線的に移動させると、各金属球４６が各係合解除用溝２１内をスライドしやがて係合解除用溝２１の開口端部から光源接続筒状部１５の外部に脱出するので、携帯用光源装置３０を光源接続筒状部１５から簡単に取り外すことができる。
さらに、各係合解除用溝２１は開口端部側に向かうにつれてその凹み量が徐々に大きくなる形状なので、各金属球４６が各係合解除用溝２１の開口端部側に移動するにつれて、金属球４６を付勢する圧縮コイルばねＳ２の付勢力が徐々に小さくなる（圧縮コイルばねＳ２が徐々に伸びる）。そのため、各金属球４６が各係合解除用溝２１の開口端部側に移動するにつれて金属球４６と係合解除用溝２１の接触抵抗が徐々に小さくなる（金属球４６が係合解除用溝２１から脱出する直前に、金属球４６は内方フランジ４５に当接し、係合解除用溝２１とは接触しなくなる）。従って、各金属球４６の各係合解除用溝２１からの脱出は円滑に行われる。
【００２４】
以上説明したように本実施形態によれば、携帯用光源装置３０を光源接続筒状部１５に対して簡単に着脱できるので、仮に術者が補助者を伴わずに一人で診察を行う場合であっても、術者は携帯用光源装置３０を内視鏡１０に簡単かつ円滑に着脱できる。
しかも、術者は金属球４６が保持用凹部１９に係合することによりクリック感を感じることができ、このクリック感により携帯用光源装置３０と内視鏡１０の接続状態を把握することができる。さらに、携帯用光源装置３０の光源接続筒状部１５に対する相対位置を目視することにより、金属球４６が保持用凹部１９に係合していることを把握できるので、術者は目視によっても携帯用光源装置３０と内視鏡１０の接続状態を把握することができる。このように術者は従来技術に比べて携帯用光源装置３０と内視鏡１０が接続したことをより容易に把握することが可能である。
さらに、本発明の内視鏡１０と携帯用光源装置３０の取付構造は簡単な構造なので、低コストで実現することができる。
【００２５】
以上、上記実施形態を利用して本発明を説明したが、本発明は上記実施形態に限定されるものではなく、様々な変更を施しながら実施可能である。
例えば、保持用凹部１９、係合解除用溝２１、金属球４６及び圧縮コイルばねＳ２を周方向に９０°間隔で４つとしたが、これは互いに数が同数で周方向間隔が等しければ４つ以外の複数で構わない。さらに、保持力が小さくなってしまうが、保持用凹部１９、係合解除用溝２１、金属球４６及び圧縮コイルばねＳ２を一つのみとして実施してもよい。
なお、本実施形態の内視鏡１０は医療用の内視鏡であるが、工業用の内視鏡等、用途の異なる内視鏡にも適用可能である。
【図面の簡単な説明】
【００２６】
【図１】本発明の一実施形態の内視鏡の全体図である。
【図２】光源取付部に携帯用光源装置を接続しようとする状態の横断平面図である。
【図３】光源取付部の斜視図である。
【図４】光源取付部に携帯用光源装置を接続したときの横断平面図である。
【図５】図４のＶ−Ｖ矢線に沿う断面図である。
【図６】金属球が係合解除用溝に係合したときの図５と同様の断面図である。
【符号の説明】
【００２７】
１０    内視鏡
１１    操作部
１２    挿入部
１３    接眼部
１４    導光ファイバ
１５    光源接続部
１６    大径空間部（光源接続用凹部）
１７    小径空間部（光源接続用凹部）
１９    保持用凹部
２０    案内用傾斜部
２１    係合解除用溝
３０    携帯用光源装置
３１    基部
３２    蓋部
３３    電池収納空間
３５    陽極側電気接片
３６    ランプ
３７    陰極側電気接片
３９    内部スイッチ
４０    ボタン
４２    スライドスイッチ
４３    挿入部（発光挿入部）
４４    凹部
４５    内方フランジ（規制部）
４６    金属球（係止部材）
Ｂ      乾電池
Ｌ１    集光レンズ
Ｌ２    集光レンズ
Ｓ１  Ｓ２  圧縮コイルばね（付勢手段）
【図１】
2008220463.tif 000003
【図２】
2008220463.tif 000004
【図３】
2008220463.tif 000005
【図４】
2008220463.tif 000006
【図５】
2008220463.tif 000007
【図６】
2008220463.tif 000008